(57)【要約】【課題】他の装置に保存されたファイルに記録されたアドレスを使用して装置自身のファイルにアクセスすることを可能とし、従来より安全性を高くする。【解決手段】本発明は、予め設定された設定アドレスを記憶手段に蓄積しておき、第１のファイルが自装置に保存されておらず、第２のファイルが自装置に保存されているとき、該第１のファイルのアドレス及び、蓄積されている前記設定アドレスに基づいて、該第２のファイルへのアクセスを防止するか否かを判定し、第２のファイルへのアクセスが防止されない場合のみ、前記第１のファイルに記録されている該第２のファイルのアドレスを使用して該第２のファイルにアクセスする。【選択図】　　　図１
2004013605.tif 000002
【特許請求の範囲】
【請求項１】
他の装置に保存されたファイルに記録されたアドレスを使用して、自装置のファイルにアクセスするファイルアクセス方法において、
予め設定された設定アドレスを記憶手段に蓄積するアドレス蓄積ステップと、
第１のファイルが自装置に保存されておらず、第２のファイルが自装置に保存されているとき、該第１のファイルのアドレス及び、蓄積されている前記設定アドレスに基づいて、該第２のファイルへのアクセスを防止するか否を判定するアクセス防止判定ステップと、
前記アクセス防止判定ステップにおいて、前記第２のファイルへのアクセスが防止されない場合のみ、前記第１のファイルに記録されている該第２のファイルのアドレスを使用して該第２のファイルにアクセスするファイルアクセスステップと、を行うことを特徴とするファイルアクセス方法。
【請求項２】
前記アクセス防止判定ステップにおいて、
前記第１のファイルのアドレスが前記記憶手段に蓄積された前記設定アドレスに含まれないとき、前記第２のファイルへのアクセスを防止する請求項１記載のファイルアクセス方法。
【請求項３】
前記アクセス防止判定ステップにおいて、
前記第１のファイルのアドレスが前記記憶手段に蓄積された前記設定アドレスに含まれるとき、前記第２のファイルへのアクセスを防止する請求項１記載のファイルアクセス方法。
【請求項４】
他の装置に保存されたファイルに記録されたアドレスを使用して、自装置のファイルにアクセスするファイルアクセス装置であって、
予め設定された設定アドレスを蓄積するアドレス蓄積手段と、
第１のファイルに第２のファイルのアドレスが記録されているとき、該第１のファイルに記録されている該第２のファイルのアドレスを使用して該第２のファイルにアクセスするファイルアクセス手段と、
前記第１のファイルが自装置に保存されておらず、前記第２のファイルが自装置に保存されているとき、該第１のファイルのアドレス及び、蓄積されている前記設定アドレスに基づいて、前記ファイルアクセス手段による該第２のファイルへのアクセスを防止するか否を判定し、判定結果に基づいて該ファイルアクセス手段を制御するアクセス防止手段と、
を有することを特徴とするファイルアクセス装置。
【請求項５】
前記アクセス防止手段は、
前記第１のファイルのアドレスが、前記アドレス蓄積手段に蓄積された前記設定アドレスに含まれないとき、前記ファイルアクセス手段による前記第２のファイルへのアクセスを防止する手段を含む請求項４記載のファイルアクセス装置。
【請求項６】
前記アクセス防止手段は、
前記第１のファイルのアドレスが、前記アドレス蓄積手段に蓄積された前記設定アドレスに含まれるとき、前記ファイルアクセス手段による前記第２のファイルへのアクセスを防止する手段を含む請求項４記載のファイルアクセス装置。
【請求項７】
他の装置に保存されたファイルに記録されたアドレスを使用して、自装置のファイルにアクセスするファイルアクセスプログラムであって、
予め設定された設定アドレスを記憶手段に蓄積するアドレス蓄積ステップと、
第１のファイルが自装置に保存されておらず、第２のファイルが自装置に保存されているとき、該第１のファイルのアドレス及び、蓄積されている前記設定アドレスに基づいて、該第２のファイルへのアクセスを防止するか否を判定するアクセス防止判定ステップと、
前記アクセス防止判定ステップにおいて、前記第２のファイルへのアクセスが防止されない場合のみ、前記第１のファイルに記録されている該第２のファイルのアドレスを使用して該第２のファイルにアクセスするファイルアクセスステップと、をコンピュータに行わせることを特徴とするファイルアクセスプログラム。
【請求項８】
前記アクセス防止判定ステップにおいて、
前記第１のファイルのアドレスが、前記記憶手段に蓄積された前記設定アドレスに含まれないとき、前記第２のファイルへのアクセスをステップを含む請求項７記載のファイルアクセスプログラム。
【請求項９】
前記アクセス防止判定ステップにおいて、
前記第１のファイルのアドレスが、前記記憶手段に蓄積された前記設定アドレスに含まれるとき、前記第２のファイルへのアクセスを防止する請求項７記載のファイルアクセスプログラム。
【請求項１０】
他の装置に保存されたファイルに記録されたアドレスを使用して、自装置のファイルにアクセスするファイルアクセスプログラムを格納した記憶媒体であって、
予め設定された設定アドレスを記憶手段に蓄積するアドレス蓄積ステップと、
第１のファイルが自装置に保存されておらず、第２のファイルが自装置に保存されているとき、該第１のファイルのアドレス及び、蓄積されている前記設定アドレスに基づいて、該第２のファイルへのアクセスを防止するか否を判定するアクセス防止判定ステップと、
前記アクセス防止判定ステップにおいて、前記第２のファイルへのアクセスが防止されない場合のみ、前記第１のファイルに記録されている該第２のファイルのアドレスを使用して該第２のファイルにアクセスするファイルアクセスステップと、をコンピュータに行わせることを特徴とするファイルアクセスプログラムを格納した記憶媒体。
【請求項１１】
前記アクセス防止判定ステップにおいて、
前記第１のファイルのアドレスが、前記記憶手段に蓄積された前記設定アドレスに含まれないとき、前記第２のファイルへのアクセスをステップを含む請求項１０記載のファイルアクセスプログラムを格納した記憶媒体。
【請求項１２】
前記アクセス防止判定ステップにおいて、
前記第１のファイルのアドレスが、前記記憶手段に蓄積された前記設定アドレスに含まれるとき、前記第２のファイルへのアクセスを防止する請求項１１記載のファイルアクセスプログラムを格納した記憶媒体。
【発明の詳細な説明】
【０００１】
【発明の属する技術分野】
本発明は、ファイルアクセス方法及び装置及びファイルアクセスプログラム及びファイルアクセスプログラムを格納した記憶媒体に係り、特に、他の装置に保存されたファイルに記録されたアドレスを使用して自装置のファイルにアクセスするためのファイルアクセス方法及び装置及びファイルアクセスプログラム及びファイルアクセスプログラムを格納した記憶媒体に関する。
【０００２】
【従来の技術】
従来、他の装置に保存されたファイルに記録されたアドレスを使用して装置自身のファイルにアクセスするファイルアクセス装置として、他の装置に保存されたＨＴＭＬ（Ｈｙｐｅｒｔｅｘｔ　Ｍａｒｋｕｐ　Ｌａｎｇｕａｇｅ）ファイルに記録されたＵＲＬ（ＵｎｉｆｏｒｍＲｅｓｏｕｒｃｅ　Ｌｏｃａｔｉｏｎ）アドレスがファイルスキームで構成されるときに、ファイルスキームで構成されたＵＲＬアドレスを使用して装置自身のファイルにアクセスすることができるファイルアクセス装置が知られている。
【０００３】
【発明が解決しようとする課題】
しかしながら、上記従来のファイルアクセス装置においては、他の装置に保存されたＨＴＭＬファイルに記録されたＵＲＬアドレスがファイルスキームで構成されるときに、何等制限されることなくファイルスキームで構成されたＵＲＬアドレスを使用して装置自身のファイルにアクセスすることができていたので、他の装置に保存されたＨＴＭＬファイルの内容によっては、装置自身の安全が脅かされるという問題がある。
【０００４】
本発明は、上記の点に鑑みなされたもので、他の装置に保存されたファイルに記録されたアドレスを使用して装置自身のファイルにアクセスすることを可能とし、従来と比較して安全性を高くすることが可能なファイルアクセス方法及び装置及びファイルアクセスプログラム及びファイルアクセスプログラムを格納した記憶媒体を提供することを目的とする。
【０００５】
【課題を解決するための手段】
図１は、本発明の原理を説明するための図である。
【０００６】
本発明は、他の装置に保存されたファイルに記録されたアドレスを使用して、自装置のファイルにアクセスするファイルアクセス方法において、
予め設定された設定アドレスを記憶手段に蓄積するアドレス蓄積ステップ（ステップ１）と、
第１のファイルが自装置に保存されておらず、第２のファイルが自装置に保存されているとき、該第１のファイルのアドレス及び、蓄積されている設定アドレスに基づいて、該第２のファイルへのアクセスを防止するか否を判定するアクセス防止判定ステップ（ステップ２）と、
アクセス防止判定ステップにおいて、第２のファイルへのアクセスが防止されない場合のみ、第１のファイルに記録されている該第２のファイルのアドレスを使用して該第２のファイルにアクセスするファイルアクセスステップ（ステップ２）と、を行う。
【０００７】
また、本発明は、アクセス防止判定ステップにおいて、
第１のファイルのアドレスが記憶手段に蓄積された設定アドレスに含まれないとき、第２のファイルへのアクセスを防止する。
【０００８】
また、本発明は、アクセス防止判定ステップにおいて、
第１のファイルのアドレスが記憶手段に蓄積された設定アドレスに含まれるとき、第２のファイルへのアクセスを防止する。
【０００９】
図２は、本発明の原理構成図である。
【００１０】
本発明は、他の装置に保存されたファイルに記録されたアドレスを使用して、自装置のファイルにアクセスするファイルアクセス装置であって、
予め設定された設定アドレスを蓄積するアドレス蓄積手段２２０と、
第１のファイルに第２のファイルのアドレスが記録されているとき、該第１のファイルに記録されている該第２のファイルのアドレスを使用して該第２のファイルにアクセスするファイルアクセス手段２１０と、
第１のファイルが自装置に保存されておらず、第２のファイルが自装置に保存されているとき、該第１のファイルのアドレス及び、蓄積されている設定アドレスに基づいて、ファイルアクセス手段２１０による該第２のファイルへのアクセスを防止するか否を判定し、判定結果に基づいて該ファイルアクセス手段を制御するアクセス防止手段２４０と、を有する。
【００１１】
本発明のアクセス防止手段２４０は、
第１のファイルのアドレスがアドレス蓄積手段２２０に蓄積された設定アドレスに含まれないとき、ファイルアクセス手段２１０による第２のファイルへのアクセスを防止する手段を含む。
【００１２】
本発明のアクセス防止手段２４０は、
第１のファイルのアドレスがアドレス蓄積手段２２０に蓄積された設定アドレスに含まれるとき、ファイルアクセス手段２１０による第２のファイルへのアクセスを防止する手段を含む。
【００１３】
本発明は、他の装置に保存されたファイルに記録されたアドレスを使用して、自装置のファイルにアクセスするファイルアクセスプログラムであって、
予め設定された設定アドレスを記憶手段に蓄積するアドレス蓄積ステップと、第１のファイルが自装置に保存されておらず、第２のファイルが自装置に保存されているとき、該第１のファイルのアドレス及び、蓄積されている設定アドレスに基づいて、該第２のファイルへのアクセスを防止するか否を判定するアクセス防止判定ステップと、
アクセス防止判定ステップにおいて、第２のファイルへのアクセスが防止されない場合のみ、第１のファイルに記録されている該第２のファイルのアドレスを使用して該第２のファイルにアクセスするファイルアクセスステップと、をコンピュータに行わせる。
【００１４】
本発明のアクセス防止判定ステップにおいて、
第１のファイルのアドレスが記憶手段に蓄積された設定アドレスに含まれないとき、第２のファイルへのアクセスをステップを含む。
【００１５】
本発明のアクセス防止判定ステップにおいて、
第１のファイルのアドレスが記憶手段に蓄積された設定アドレスに含まれるとき、第２のファイルへのアクセスを防止する。
【００１６】
本発明は、他の装置に保存されたファイルに記録されたアドレスを使用して、自装置のファイルにアクセスするファイルアクセスプログラムを格納した記憶媒体であって、
予め設定された設定アドレスを記憶手段に蓄積するアドレス蓄積ステップと、第１のファイルが自装置に保存されておらず、第２のファイルが自装置に保存されているとき、該第１のファイルのアドレス及び、蓄積されている設定アドレスに基づいて、該第２のファイルへのアクセスを防止するか否を判定するアクセス防止判定ステップと、
アクセス防止判定ステップにおいて、第２のファイルへのアクセスが防止されない場合のみ、第１のファイルに記録されている該第２のファイルのアドレスを使用して該第２のファイルにアクセスするファイルアクセスステップと、をコンピュータに行わせるファイルアクセスプログラムを格納する。
【００１７】
本発明のアクセス防止判定ステップにおいて、
第１のファイルのアドレスが記憶手段に蓄積された設定アドレスに含まれないとき、第２のファイルへのアクセスをステップを含む。
【００１８】
本発明のアクセス防止判定ステップにおいて、
第１のファイルのアドレスが記憶手段に蓄積された設定アドレスに含まれるとき、第２のファイルへのアクセスを防止する。
【００１９】
上記のように、本発明では、他の装置に保存されたファイルのアドレスに基づいて、他の装置に保存されたファイルに記録されたアドレスを使用して装置自身のファイルにアクセスできるか否かを決定されるので、他の装置に保存されたファイルに記録されたアドレスを使用して装置自身のファイルにアクセスすることができると共に、従来と比較して安全性を高くすることが可能となる。
【００２０】
また、本発明では、装置自身のファイルにアクセスさせることができるファイルを設定することが可能となる。
【００２１】
また、本発明では、装置自身のファイルへのアクセスを防止させることができるファイルを設定することが可能となる。
【００２２】
【発明の実施の形態】
最初に、本発明の実施の形態におけるファイルアクセス装置の構成について説明する。
【００２３】
図３は、本発明の一実施の形態におけるファイルアクセスシステムの構成を示す。
【００２４】
同図に示すファイルアクセスシステム１００は、利用者端末２００とｈｔｔｐ（Ｈｙｐｅｒｔｅｘｔ　Ｔｒａｎｓｆｅｒ　Ｐｒｏｔｏｃｏｌ）サーバ３００から構成される。
【００２５】
利用者端末２００は、利用者端末２００に対する他の装置としてのｈｔｔｐサーバ３００や、ｈｔｔｐサーバ３００と同様の構成を有する複数のｈｔｔｐサーバ（図示せず）と共にファイルアクセスシステム１００を構成している。
【００２６】
ｈｔｔｐサーバ３００は、コンピュータによって構成され、ＨＴＭＬファイルを保存し、利用者装置２００からのアクセスを受け付ける。
【００２７】
利用者端末２００は、アクセス部２１０、アドレス蓄積部２２０、ファイル保存部２３０、アドレス判定部２４０から構成される。
【００２８】
アクセス部２１０は、第１のファイル（以下、アクセス元ファイル）に、第２のファイル（以下、アクセス先ファイル）のアドレスが記録されているとき、アクセス元ファイルに記録されているアクセス先ファイルのアドレスを使用してアクセス先ファイルにアクセスする。
【００２９】
アドレス蓄積部２２０は、予め設定される設定アドレス（認証済サーバアドレス）を蓄積する。
【００３０】
ファイル保存部２３０は、種々のファイルを保存する。
【００３１】
アドレス判定部２４０は、リンク元ファイルが装置内のファイル保存部２３０に保存されておらず、リンク先ファイルがファイル保存部２３０に保存されているとき、リンク元ファイルのアドレス、及びアドレス蓄積部２３０に蓄積されている設定アドレスに基づいて、アクセス部２１０によるリンク先ファイルへのアクセスを防止する。詳しくは、アドレス判定部２４０は、リンク元ファイルのアドレスが、アドレス蓄積部２２０で蓄積されている設定アドレスに含まれないとき、ファイルアクセス部２１０によるのリンク先ファイルへのアクセスを防止する。また、リンク元ファイルのアドレスがアドレス蓄積部２２０で蓄積されている設定アドレスに含まれる時もリンク先ファイルへのアクセスを防止するようにしてもよい。
【００３２】
上記の構成によるシステムにおいて、ファイルアクセス部２１０は、ｈｔｔｐサーバ３００に対してアクセスし、当該ｈｔｔｐサーバ３００に蓄積されている第１のファイル（リンク元ファイル）を読み込み、当該リンク元ファイルに第２のファイル（リンク先ファイル）のアドレスを取得して、アドレス判定部２４０に渡す。これにより、アドレス判定部２４０は、当該リンク先ファイルのアドレスと、アドレス蓄積部２３０に蓄積されている設定アドレスとを比較して、リンク先ファイルのアドレスが当該設定アドレスに含まれるかを判定し、含まれないと判定したときに、アクセス部２１０によるファイル保存部２３０に保存されているファイルへのアクセスを防止する。
【００３３】
【実施例】
図３に示す構成を具体的に実現するには、ｈｔｔｐサーバ３００及び利用者端末２００のハードウェア構成は図４のようになる。
【００３４】
ｈｔｔｐサーバ３００は、ＣＰＵ３０１、ＨＴＭＬファイルやＣＰＵ３０１を動作させるためのプログラムが記録されたメモリ３０２と、インターネット１５０に接続する通信網インターフェース３０３を互いに接続するバス３０４から構成される。
【００３５】
ここで、メモリ３０２には、リンク元ファイルとしてＨＴＭＬファイルが保存されており、このＨＴＭＬファイルには、リンク先として、リンク先ファイルのＵＲＬアドレス（以下、リンク先アドレスと記す）が記録されている。
【００３６】
また、利用者端末２００は、コンピュータによって構成されており、ＣＰＵ２０１と、ＣＰＵ２０１を動作させるためのプログラムが記録されたメモリ２０２と、インターネット１５０に接続する通信インターフェース２０３と、利用者によって種々の情報が入力される入力装置２０４と、映像を表示出力する表示装置２０５と、ＣＰＵ２０１、メモリ２０２、通信網インターフェース２０３、入力装置２０４及び、表示装置２０５を互いに接続するバス２０６とを備えている。ここで、ＣＰＵ２０１は、利用者によって入力装置２０４で入力された情報に基づいて、通信網インターフェース２０３及びインターネット１５０を介してｈｔｔｐサーバ３００のメモリ３０２に保存されたＨＴＭＬファイルにアクセスし、アクセスしたＨＴＭＬファイルに記録されたリンク先アドレスを使用して更にリンク先ファイルにアクセスするファイルアクセス手段としてのアクセス部２１０を、プログラムが記録されたメモリ２０２、通信網インタフェース２０３及び入力装置２０４と共に構成している。
【００３７】
また、ＣＰＵ２０１は、利用者によって入力装置２０４で入力された情報に基づいて、予め設定される設定アドレスとして、利用者によって認証済であるｈｔｔｐサーバのＵＲＬアドレスである認証済サーバアドレスを蓄積するアドレス蓄積手段としてのアドレス蓄積部２２０を、プログラムが記録されたメモリ２０２及び入力装置２０４と共に構成している。
【００３８】
また、メモリ２０２は、種々のファイルを保存するファイル保存部２３０を構成している。
【００３９】
また、ＣＰＵ２０１は、メモリ２０２と共に、アドレス判定部２４０を構成しており、ｈｔｔｐサーバ３００のメモリ３０２に保存されたＨＴＭＬファイルのリンク先ファイルが、利用者端末２００のファイル保存部２３０で保存されているとき、ｈｔｔｐサーバ３００のメモリ３０２に保存されたＨＴＭＬファイル自身のＵＲＬアドレスが、アドレス蓄積部２２０に蓄積されている認証済サーバアドレスに含まれるか否かを判定し、含まれないと判定したとき、ファイル保存部２３０で保存されたファイルへのアクセス部２１０によるアクセスを防止する。ここで、アドレス判定部２４０（ＣＰＵ２０１）は、ＨＴＭＬファイル自身のＵＲＬアドレスが、アドレス蓄積部２２０に蓄積されている認証済サーバアドレスに含まれるか否かによってアクセスの可否を判定する。
【００４０】
次に、図３及び図４に基づいて上記の構成における動作を説明する。
【００４１】
図５は、本発明の一実施例の動作のフローチャートである。
【００４２】
以下に説明する動作の前提として、利用者端末２００のアドレス蓄積部２２０で、利用者によって入力装置２０４で入力された情報に基づいて、認証済サーバアドレスを蓄積しているものとする。
【００４３】
利用者端末２００の表示装置２０５において、ＨＴＭＬファイルに基づいた画面が表示されており、表示装置２０５で表示されたＨＴＭＬファイルにリンク先アドレスが記録されているとき、利用者端末２００は、利用者が表示装置２０５で表示されているＨＴＭＬファイルに記録されているリンク先アドレスを入力装置２０４への入力によって選択したか否かをアクセス部２１０で判断する（ステップ４０１）。
【００４４】
そして、利用者が表示装置２０５に表示されている画面に基づいて、表示装置２０５に表示されているＨＴＭＬファイルに記録されているリンク先アドレスを入力装置２０４へ入力することによって選択すると、利用者端末２００は、利用者によって選択されたリンク先アドレスがｆｉｌｅスキーム（ｆｉｌｅ：／／Ｄ｜／ｄｉｒｅｃｔｏｒｙ／ｈｔｍｌｆｉｌｅ．ｈｔｍ）で構成されているか否を、アクセス部２１０で判断する（ステップ４０２）。
【００４５】
アクセス部２１０は、利用者によって選択されたリンク先アドレスがｆｉｌｅスキームで構成されておらず、ｆｉｌｅスキーム以外のスキーム、例えば、ｈｔｔｐスキームで構成されていると判断するとき、即ち、利用者によって選択されたリンク先アドレスに対応するリンク先ファイルがインターネット１５０を介して接続されるｈｔｔｐサーバによって保存されていると判断するとき、利用者によって選択されたリンク先アドレスを使用してリンク先ファイルにアクセスする（ステップ４０３）。これは、図６におけるケース１及びケース３に対応する。なお、ｆｉｌｅスキーム以外のスキームの例としては、ｈｔｔｐスキームの他にｆｔｐスキーム等が存在する。ｆｔｐスキームの場合、図３及び図４のｈｔｔｐサーバ３００がｆｔｐサーバに置き換えられる。
【００４６】
また、アクセス部２１０は、利用者によって選択されたリンク先アドレスがｆｉｌｅスキームで構成されていると判断するとき、即ち、利用者によって選択されたリンク先アドレスに対応するリンク先ファイルがファイル保存部２３０に保存されていると判断した場合には、利用者によって選択されたリンク先アドレスが記録されていたＨＴＭＬファイル自身のＵＲＬアドレスがｆｉｌｅスキームで構成されているか否かを判断する（ステップ４０４）。
【００４７】
アクセス部２１０は、利用者によって選択されたリンク先アドレスが記憶されていると判断するとき（図６のケース３）、即ち、利用者によって選択されたリンク先アドレスが記録されていたＨＴＭＬファイルがファイル保存部２３０に保存されていると判断するとき、利用者によって選択されたリンク先アドレスを使用してリンク先ファイルにアクセスする（ステップ４０３）。
【００４８】
また、アクセス部２１０が、利用者によって選択されたリンク先アドレスが記録されていたＨＴＭＬファイル自身のＵＲＬアドレスがｆｉｌｅスキームではないｈｔｔｐスキームで構成されていると判断するとき（図６のケース２）、即ち、アクセス部２１０が、利用者によって選択されたリンク先アドレスが記録されていたＨＴＭＬファイルがファイル保存部２３０に保存されておらず、インターネット１５０を介して接続されるｈｔｔｐサーバ３００によって保存されていると判断するとき、アドレス判定部２４０は、利用者によって選択されたリンク先アドレスが記録されていたＨＴＭＬファイル自身のＵＲＬアドレスがアドレス蓄積部２２０に蓄積されている認証済サーバアドレスに含まれるか否かを判定する（ステップ４０５）。
【００４９】
アドレス判定部２４０は、利用者によって選択されたリンク先アドレスが記録されていたＨＴＭＬファイル自身のＵＲＬアドレスがアドレス蓄積部２２０で蓄積された認証済サーバアドレスに含まれると判定したとき、アクセス部２１０によるファイル保存部２３０で保存されたファイルへのアクセスを防止せずに、アクセス部２１０は、利用者によって選択されたリンク先アドレスを使用してリンク先ファイルにアクセスする（ステップ４０３）。
【００５０】
また、アドレス判定部２４０は、利用者によって選択されたリンク先アドレスが記憶されていたＨＴＭＬファイル自身のＵＲＬアドレスがアドレス蓄積部２２０に蓄積されている認証済サーバアドレスに含まれないと判定したとき、アクセス部２１０によるファイル保存部２３０で保存されたファイルへのアクセスを防止するので、アクセス部２１０は、利用者によって選択されたリンク先アドレスを使用してリンク先ファイルにアクセスしない（ステップ４０６）。
【００５１】
以上説明したように、本発明を利用者端末２００に適用することにより、利用者端末２００は、ｈｔｔｐサーバ３００に保存されたＨＴＭＬファイルに記録されたＵＲＬアドレスに基づいて、利用者端末２００自身のファイルにアクセスすることができるか否かが決定されることにより、ｈｔｔｐサーバ３００に保存されたＨＴＭＬファイルに記録されたＵＲＬアドレスを使用して利用者端末２００自身のファイルにアクセスすることができると共に、従来と比較して安全性を向上させることができる。
【００５２】
また、利用者端末２００のアドレス判定部２４０は、利用者によって選択されたリンク先アドレスが記録されていたＨＴＭＬファイル自身のＵＲＬアドレスがアドレス蓄積部２２０で蓄積された認証済サーバアドレスに含まれないとき、アクセス部２１０によるリンク先ファイルへのアクセスを防止する構成を有しているので、アクセス部２１０でのリンク先ファイルにアクセスさせることができるＵＲＬを認証済サーバアドレスとして、アドレス蓄積部２２０に設定することができる。
【００５３】
なお、利用者端末２００のアドレス判定部２４０は、本実施例において、利用者によって選択されたリンク先アドレスが記録されていたＨＴＭＬファイル自身のＵＲＬアドレスが、アドレス蓄積部２２０に蓄積されている認証済サーバアドレスに含まれないとき、アクセス部２１０でのリンク先ファイルへのアクセスを防止する構成を有しているが、本発明では、利用者によって選択されたリンク先アドレスが記録されていたＨＴＭＬファイル自身のＵＲＬアドレスがアドレス蓄積部２２０に蓄積されている認証済サーバアドレスに含まれるとき、アクセス部２１０でのリンク先ファイルへのアクセスを防止する構成を有するようにしてもよい。
【００５４】
利用者端末２００のアドレス判定部２４０が、利用者によって選択されたリンク先アドレスが記録されていたＨＴＭＬファイル自身のＵＲＬアドレスが、アドレス蓄積部２２０に蓄積されている認証済サーバアドレスに含まれるとき、アクセス部２１０でのリンク先ファイルへのアクセスを防止する構成を有している場合、アクセス部２１０でのリンク先ファイルへのアクセスを防止させることができるＵＲＬを非認証済サーバアドレスとしてアドレス蓄積部２２０に設定することができる。
【００５５】
また、アドレス判定部２４０は、本実施例において、利用者によって選択されたリンク先アドレスが記録されていたＨＴＭＬファイル自身のＵＲＬアドレスがアドレス蓄積部２２０に蓄積されている認証済サーバアドレスに含まれるか否かによって、アクセス部２１０によるファイル保存部２３０に保存されているファイルへのアクセスを防止するようになっていたが、本発明によれば、利用者によって選択されたリンク先アドレスが記録されていたＨＴＭＬファイル自身のＵＲＬアドレスが含まれるか否かの判定基準は、認証済サーバアドレス以外のＵＲＬアドレスであってもよい。
【００５６】
例えば、アドレス蓄積部２２０において、利用者によって認証済であるＨＴＭＬファイル自体のＵＲＬアドレスを蓄積するようにして、アドレス判定部２４０は、利用者によって選択されたリンク先アドレスが記録されていたＨＴＭＬファイル自身のＵＲＬアドレスがアドレス蓄積部２２０に蓄積されているＨＴＭＬファイル自体のＵＲＬアドレスに含まれるか否かによって、アクセス部２１０によるファイル保存部２３０で保存されたファイルへのアクセスを防止するようにしてもよい。
【００５７】
また、上記の利用者装置２００の動作をプログラムとして構築し、利用者装置として利用されるコンピュータにインストールする、または、ネットワークを介して流通させることが可能である。
【００５８】
また、構築されたプログラムを利用者装置として利用されるコンピュータに接続されるハードディスクや、フレキシブルディスク、ＣＤ−ＲＯＭ等の可搬記憶媒体に格納しておき、本発明を実施する際にインストールすることも可能である。
【００５９】
なお、本発明は、上記の実施の形態及び実施例に限定されることなく、特許請求の範囲内において、種々変更・応用が可能である。
【００６０】
【発明の効果】
上述のように、本発明によれば、他の装置に保存されたファイルに記録されたアドレスを使用して、自装置のファイルにアクセスすることができると共に、従来と比較して安全性を高くすることできる。
【図面の簡単な説明】
【図１】本発明の原理を説明するための図である。
【図２】本発明の原理構成図である。
【図３】本発明の一実施の形態におけるファイルアクセスシステムの構成図である。
【図４】本発明の一実施例のシステム構成図である。
【図５】本発明の一実施例の動作のフローチャートである。
【図６】本発明の一実施例のリンク先アドレスの例である。
【符号の説明】
２００　利用者端末
２０１　ＣＰＵ
２０２　メモリ
２０３　通信網インターフェース
２０４　入力装置
２０５　表示装置
２０６　バス
２１０　ファイルアクセス手段、アクセス部
２２０　アドレス蓄積手段、アドレス蓄積部
２３０　ファイル、ファイル保存部
２４０　アクセス防止手段、アドレス判定部
３００　ｈｔｔｐサーバ
３０１　ＣＰＵ
３０２　メモリ
３０３　通信網インタフェース
【図１】
2004013605.tif 000003
【図２】
2004013605.tif 000004
【図３】
2004013605.tif 000005
【図４】
2004013605.tif 000006
【図５】
2004013605.tif 000007
【図６】
2004013605.tif 000008